(57)【特許請求の範囲】
【請求項１】
眼鏡レンズを開口部内に配置できる載置台と、
前記開口部に載置された眼鏡レンズの画像を撮影する撮像手段と、
撮像された前記眼鏡レンズの画像から吸着治具の取付位置を特定する位置決定手段と、
吸着治具を前記眼鏡レンズの取付位置に配置する装着手段とを備えた眼鏡レンズの吸着治具取付装置において、
前記位置決定手段は、前記撮像手段により撮像された眼鏡レンズの図形画像から隠しマークを取得して累進多焦点レンズであることを判定し、さらに、該隠しマークの位置を特定し、２つの隠しマークの中心をもとに近用部付近の処理領域を特定し、処理領域内の印刷マークの重心位置を求め、前記２つの隠しマークの中点と前記重心位置との比較により当該累進多焦点レンズが左右のいずれ用のレンズかを判別する左右判別手段と、
左右判別された累進多焦点レンズの左右に応じて吸着治具の吸着位置を特定する装着位置決定手段とを備えたことを特徴とする眼鏡レンズの吸着治具取付装置。
【請求項２】
眼鏡レンズを開口部内に配置できる載置台と、
前記開口部に載置された眼鏡レンズの画像を撮影する撮像手段と、
撮像された前記眼鏡レンズの画像から吸着治具の取付位置を特定する位置決定手段と、
吸着治具を前記眼鏡レンズの取付位置に配置する装着手段とを備えた眼鏡レンズの吸着治具取付装置の位置決定方法において、
前記撮像手段により撮像された眼鏡レンズの図形画像から隠しマークを取得して累進多焦点レンズであることを判定し、
該隠しマークの位置を特定し、２つの隠しマークの中心をもとに近用部付近の処理領域を特定し、処理領域内の印刷マークの重心位置を求め、前記２つの隠しマークの中点と前記重心位置との比較により当該累進多焦点レンズが左右のいずれ用のレンズかを判別し、
左右判別された累進多焦点レンズの左右に応じて吸着治具の吸着位置を特定することを特徴とする眼鏡レンズの吸着治具取付位置決定方法。
【発明の詳細な説明】
【技術分野】
【０００１】
本発明は、眼鏡レンズの吸着治具取付装置、及び眼鏡レンズの吸着治具取付位置決定方法に係り、特に眼鏡レンズをその周縁または裏面で保持する複数種類の保持手段を開口部内に配置できる載置台と、前記開口部に載置された眼鏡レンズの画像を撮影する撮像手段と、撮像された前記眼鏡レンズの画像から吸着治具の取付位置を特定する位置決定手段と、吸着治具を前記眼鏡レンズの取付位置に配置する装着手段とを備えた眼鏡レンズの吸着治具取付装置、及び吸着治具取付位置決定方法に関する。
【背景技術】
【０００２】
種々の未加工の眼鏡レンズに対して、眼鏡レンズ表面を撮像手段を用いて撮像し、画像処理し、図形の有無を判断して、眼鏡レンズの種別に応じて吸着カップ等の吸着治具を自動的に装着するための眼鏡レンズの吸着治具取付に関しては種々の技術が提案されている。
【０００３】
特に累進多焦点レンズのように生地レンズに隠しマークが記載されたもの、あるいは眼鏡レンズに印点マークが記録されたもの、バイフォーカルレンズ等のセグメント（小玉）が形成されたものについては、隠しマーク、印字マーク、セグメントを基準標識として、基準標識の図形画像を撮像し、基準標識と幾何学的関係にある眼鏡レンズの吸着位置（光学中心）に吸着カップ等の吸着治具を装着する装置が知られている（特許文献１〜６）。なお、印点マークとは、例えばレンズメータ等で眼鏡レンズに印点したマークのことである。
【０００４】
また、眼鏡レンズの図形画像を撮像して画像信号を２値化し、眼鏡レンズ表面等に刻印あるいは印刷された隠しマーク等や眼鏡レンズ表面の凹凸、傷等を検出する装置が知られている（特許文献１〜３、５〜７）。
【特許文献１】特開２００２−２９６１４４号公報
【特許文献２】特開２０００−１９０５８号公報
【特許文献３】実用新案登録第３０７７０５４号公報
【特許文献４】ＤＥ３８２９４８８Ａ１公報
【特許文献５】特開２００２−１３９７１３号公報
【特許文献６】特開２００２−１６３８号公報
【特許文献７】ＥＰ８５６７２８Ａ２公報
【発明の開示】
【発明が解決しようとする課題】
【０００５】
しかしながら、累進多焦点レンズやバイフォーカルレンズ等の眼鏡レンズの隠しマークや小玉等あるいは眼鏡レンズの印点マーク等の基準標識を眼鏡レンズの図形画像から抽出する画像処理技術において、個々の眼鏡レンズの左右別を画像処理された図形画像から判別する方法はなかった。
【０００６】
そのため、作業者の目視による判断に委ねられていたものの、誤ってレンズの左右を取り違える可能性があり、画像処理された図形画像から的確に左右眼のいずれ用の眼鏡レンズであるかを判断できる装置、方法が望まれていた。
【０００７】
そこで、本発明では、個々の眼鏡レンズの左右眼を画像処理により特定することができる眼鏡レンズの吸着治具取付装置及び眼鏡レンズの吸着治具取付位置決定方法を提供することを目的とする。
【課題を解決するための手段】
【０００８】
上記課題を解決するための手段は以下の通りである。請求項１の発明は、眼鏡レンズを開口部内に配置できる載置台と、前記開口部に載置された眼鏡レンズの画像を撮影する撮像手段と、撮像された前記眼鏡レンズの画像から吸着治具の取付位置を特定する位置決定手段と、吸着治具を前記眼鏡レンズの取付位置に配置する装着手段とを備えた眼鏡レンズの吸着治具取付装置において、前記位置決定手段は、前記撮像手段により撮像された眼鏡レンズの図形画像から隠しマークを取得して累進多焦点レンズであることを判定し、さらに、該隠しマークの位置を特定し、２つの隠しマークの中心をもとに近用部付近の処理領域を特定し、処理領域内の印刷マークの重心位置を求め、前記２つの隠しマークの中点と前記重心位置との比較により当該累進多焦点レンズが左右のいずれ用のレンズかを判別する左右判別手段と、左右判別された累進多焦点レンズの左右に応じて吸着治具の吸着位置を特定する装着位置決定手段とを備えたことを特徴とする眼鏡レンズの吸着治具取付装置である。
【０００９】
請求項２の発明は、眼鏡レンズを開口部内に配置できる載置台と、前記開口部に載置された眼鏡レンズの画像を撮影する撮像手段と、撮像された前記眼鏡レンズの画像から吸着治具の取付位置を特定する位置決定手段と、吸着治具を前記眼鏡レンズの取付位置に配置する装着手段とを備えた眼鏡レンズの吸着治具取付装置の位置決定方法において、前記撮像手段により撮像された眼鏡レンズの図形画像から隠しマークを取得して累進多焦点レンズであることを判定し、該隠しマークの位置を特定し、２つの隠しマークの中心をもとに近用部付近の処理領域を特定し、処理領域内の印刷マークの重心位置を求め、前記２つの隠しマークの中点と前記重心位置との比較により当該累進多焦点レンズが左右のいずれ用のレンズかを判別し、左右判別された累進多焦点レンズの左右に応じて吸着治具の吸着位置を特定することを特徴とする眼鏡レンズの吸着治具取付位置決定方法である。
【発明の効果】
【００１４】
以上により、作業者の目視により左右を誤って吸着治具を眼鏡レンズに取り付けることなく、例えば累進多焦点レンズやバイフォーカルレンズ等の眼鏡レンズの画像処理された図形画像から的確に左右眼を判断することができる。
【発明を実施するための最良の形態】
【００１５】
以下本発明に係る眼鏡レンズの吸着治具取付装置及び眼鏡レンズの吸着治具取付位置決定方法の実施の形態について図面を参照して、下記の順に説明する。
Ａ．装置の各部の構成
Ｂ．眼鏡レンズの図形画像の処理
【００１６】
Ａ．装置の各部の構成
図６７は本発明に係る眼鏡レンズの吸着治具取付装置１００の構成の概要を説明するブロック図である。本例では、眼鏡レンズの吸着治具取付装置１００は、全体光学系１１０、吸着治具搬送部１２０、レンズメータ光学系（ＣＬ光学系）１３０、レンズ載置部１４０、レンズ載置部１４０を前後左右に移動させるＸ−Ｙステージ部１５０、液晶表示部１６０、画像処理機能を有する画像処理手段としての演算制御回路（演算制御手段）１７０及びＲＯＭ１７０ａを備えている。
【００１７】
このＲＯＭ１７０ａには、画像処理プログラムや、全体光学系１１０、吸着治具搬送部１２０、レンズメータ光学系１３０、レンズ載置部１４０、Ｘ−Ｙステージ部１５０、液晶表示部１６０等を制御するためのプログラムが記憶されている。そして、演算制御回路１７０は、ＲＯＭ１７０ａに記憶されているプログラムに従って画像処理プログラムや、全体光学系１１０、吸着治具搬送部１２０、レンズメータ光学系１３０、レンズ載置部１４０、Ｘ−Ｙステージ部１５０、液晶表示部１６０等を制御するようになっている。
【００１８】
また、本例では、演算制御回路１７０は、ＣＰＵでＲＯＭ１７０ａに記憶された画像処理プログラムを読み出して実行することにより、画像処理を実現するものである。そして、眼鏡レンズの吸着治具取付装置１００には、ＣＦカード入出力部１７１、外部接続インタフェース部１７２、電源装置１７３が設けられる。
【００１９】
＜全体光学系＞
全体光学系１１０は、眼鏡レンズＬ及び開口部内部の図形画像を撮像する光学系である発光ダイオード１０３（例えば波長８６０ｎｍ）、この発光ダイオード１０３からの発散光を平行光とすると共に反射光を収束光とするコリメータレンズ１０４、撮像素子である２台のＣＣＤカメラ１０５，１０６、反射光を撮像素子に導く２枚のハーフミラー１０７，１０８、モータ１１１で回転される再帰性反射シートからなる反射板１０９を備えている。なお、本例では、ＣＣＤカメラ１０５はレンズ全体を撮像するものであり、撮像素子であるＣＣＤカメラ１０６は、レンズの一部を拡大（例えば２倍）して撮像するものとしている。また、反射板１０９は、レンズを均一に照射するためモータ１１１の軸の垂直面に対して例えば３°程度傾斜して設けられている。
【００２０】
この光学系では、発光ダイオード１０３から発光された光がコリメータレンズ１０４を介して平行光線にし、反射板１０９からの反射光がコリメータレンズ１０４、ハーフミラー１０７、１０８を介してＣＣＤカメラで眼鏡レンズの図形画像が撮像される。このとき、未加工の円形眼鏡レンズや加工済みの眼鏡レンズには、レンズメータで付けられた印点マーク、刻印された隠しマークや印刷された印刷マーク、バイフォーカルレンズでは、半円形のセグメント（ＢＦレンズ）等があるため、眼鏡レンズ表面近傍を結像するように光学系を配置されている。
【００２１】
＜レンズ載置部＞
載置ステージ中央には開口部１４１が設けられて、図６８に示すようにアクリル製の基板２０１と、基板２０１上に、眼鏡レンズを載置するための３本のレンズ保持棒２０２が設けられたレンズ保持具２００が設けられている。
【００２２】
また、開口部１４１には図１７，図６７に示したように互いに連動して回動する３本のピン（尚、図６７では断面の関係上２本のピン）１４２が設けられ、眼鏡レンズＬまたは図６９の枠替えレンズホルダ３００の側面を挟持する構成になっている。これらのピン２は連動して回動させるため１本のベルトで回動するようになっており、３本が同時に動くようになっている。
【００２３】
尚、３本の図示しないピン（保持ピン）は、図１７の符号１３０２に対応しているので、図示の便宜上、符号１３０２で示した部分に説明の為の符号を対応して付している。
【００２４】
さらに、開口部に近接した３本の挟持部材の上に覆われたリング状の平板の一部には、爪部が設けられており、この爪部が光スイッチ部を横切って光を遮断することで、装置の原点を校正するようになっている。
【００２５】
＜枠替えレンズホルダ＞
未加工の円形眼鏡レンズの場合は、上述した透明板上の保持部材に載置させることで十分であるが、加工済みの眼鏡レンズ、非円形の眼鏡レンズ等の玉型を保持部材に載置するには、枠替えレンズホルダ３００を使用する。これは、眼鏡装用者が眼鏡フレームを替えたい場合などに、現在加工済みの眼鏡レンズを新しい眼鏡フレームに枠入れするために、その加工済みの眼鏡レンズに吸着治具１８０を取り付けるためである。
【００２６】
この枠替えレンズホルダ３００は、図６９に示すように基端部が環状基板３０１に軸３０３で回動可能に軸支されたレンズ保持用アーム３０２を備えている。そして、レンズ保持用アーム３０２はコイルスプリング３０２ａにより自由端部が環状基板３０１の中央側に回動付勢されている。
【００２７】
また、環状基板３０１には、枠替えレンズホルダ３００認識用の透光孔３０４が開設されている。この枠替えレンズホルダ３００は、上述したレンズ載置台の開口部に取り付けられたレンズ保持具２００に代え、開口部１４１に取り付けられる。
【００２８】
＜Ｘ−Ｙステージ部＞
Ｘ−Ｙステージ部１５０はＸ方向（進退方向）及び、Ｙ方向（横方向）にレンズ載置部１４０を移動させることにより、眼鏡レンズＬをレンズ取り出し位置、撮像位置、眼鏡レンズＬを吸着治具１２１の取付位置、レンズメータ光学系計測位置に移動させる。また、撮像位置ではＣＣＤカメラ１０５、１０６に撮像される眼鏡レンズＬの位置をＸ方向、Ｙ方向へ移動させ、撮像位置を変更する。
【００２９】
＜吸着治具搬送部＞
吸着治具搬送部１２０は、円筒状で溝の付けられた筒部と駆動モータからなる吸着カップ搬送部が全体光学系と同様に平板に固定されている。この筒部には、下端に吸着カップを取り付けるカップ受け部を備えた搬送用アームが取り付けられ、駆動モータの駆動により、搬送用アームが下方に降下し、カップ受け部に取り付けられた吸着カップの吸着面を下に向け、かつ載置ステージ（載置台）上に載置された眼鏡レンズ表面の真上に搬送用アームが旋回するようになっている。筒部、アーム部、カップ受け部と駆動モータで吸着カップの吸着機構を構成する。
【００３０】
カップ受け部の構造は、図に示す通りで、従来、吸着カップの基部を、カップ受け部上下に内蔵されたワイヤー状のバネで挟持する構成のみであったため、例えば防水加工された眼鏡レンズに吸着治具を装着した場合、吸着カップがカップ受け部からはずれ難く、吸着カップを介して眼鏡レンズが持ち上げられてしまう問題があった。そこで、カップ受け部の外側側面に、カップ受け部移動部から外側側面に突出したピンと係合する係合板部を設け、レンズ搬送アームが下方に降下して眼鏡レンズ表面に吸着カップを吸着する際に、カップ受け部に係る押圧力を介して係合板部から上記ピンがはずれるようになっており、吸着カップが眼鏡レンズに吸着され残るように構成されている。
【００３１】
また、吸着後に、カップ受け部の移動部が移動し、移動部後端に設けられた光スイッチの光遮断を解き、光スイッチの光が通過することで、ＯＦＦのスイッチが入り、吸着作業が終了したことを装置内部の演算処理回路が判断し、搬送アームは上側の休止位置に戻り、レンズ載置台は最初の位置（装置開口部からレンズ載置台が外に飛び出した状態）に戻る。
【００３２】
＜レンズメータ光学系＞
レンズメータ光学系１３０は、眼鏡レンズの特性を光学的に検出する装置であり、印点されていない円形の未加工レンズや、隠しマーク、印刷マーク、ＢＦレンズ（セグメント）等の図形画像を認識できない眼鏡レンズに使用される。この場合、吸着治具の吸着位置を特定することができないので、そのような眼鏡レンズの場合には、レンズ載置台がＹ軸方向へ移動され、ＣＬ光学系の個所まで移動される。ＣＬ光学系は図の通り、上側に発光部、下側に受光部を備え、上下で向かい合うように構成され、発光部の後端には光学系が配置されている。
【００３３】
［作用］
Ｂ．眼鏡レンズの図形画像の処理
（ｉ）眼鏡レンズの画像処理の概略
次に、図６７に示した眼鏡レンズの吸着治具取付装置１００の演算制御回路１７０による眼鏡レンズの図形画像の処理を説明する。図１は本発明に係る眼鏡レンズの吸着治具取付装置の画像処理の全体を示すフローチャートである。
【００３４】
本例において演算制御回路１７０は、全体光学系１１０で全体画像を取得し（Ｓ１）、非円形レンズを装着する枠替えレンズホルダ３００の有無の判定（Ｓ２）を行なう。次に、演算制御回路１７０は、眼鏡レンズＬの有無の判定（Ｓ３）を行ない、さらにレンズの種別判定（Ｓ４）を行なう。
【００３５】
そして、演算制御回路１７０は、レンズの種別が累進多焦点レンズの場合、ステップＳ５のレンズの水平合わせ、ステップＳ９の拡大画像の取得、ステップＳ１０の隠しマークの検出（吸着点・傾き）等の累進多焦点レンズの処理を実行する。
【００３６】
また、演算制御回路１７０は、レンズの種別がセグメント（小玉）付きレンズ（バイフォーカルレンズ）の場合、セグメント検出（吸着点・傾き）（Ｓ６）、レンズの水平合わせ（Ｓ６ａ）等のセグメント（小玉）付きレンズの処理を実行する。
【００３７】
更に、演算制御回路１７０は、レンズの種別が印点付きレンズの場合、印点検出（吸着点・傾き）（Ｓ７）、レンズの水平合わせ（Ｓ６ａ）等の印点付きレンズの処理を実行する。
【００３８】
また、演算制御回路１７０は、レンズの種別が無印レンズの場合には、Ｘ−Ｙステージ１５０を駆動制御して眼鏡レンズＬをレンズメータ光学系１３０の測定部に移動させて、吸着点検出等の無印レンズの処理（Ｓ８）を行なう。
【００３９】
各処理が終了した後、眼鏡レンズＬは吸着治具１２１の取付位置（ブロック待機位置）に移動され（Ｓ１１）、レンズの半径、フレームの形、眼鏡装着者の瞳間距離等の寸法関係が解決できるかどうかが判断される（半径データの比較処理）（Ｓ１２）。そしてさらにレンズの左右を確認し（Ｓ１３）、吸着治具１２１を吸着させる処理（ブロックの吸着実行処理）（Ｓ１４）がなされ、取り出され一連の処理は終了する。
【００４０】
（ｉｉ）演算制御回路１７０による（ｉ）の画像処理のより具体的な説明
上述した図１のフローチャートに基づく画像取得をより具体的に説明する。
ステップＳ１（全体画像の取得）
ところで、上述のステップＳ１では、図６７の開口部１４１及び開口部１４１のレンズ保持具２００上の眼鏡レンズＬがＣＣＤカメラ１０５で全体的に撮像されると、図５に示すように映像データとしてグレイスケールで、画像には、眼鏡レンズＬの影１１００、眼鏡レンズＬを保持するピン１４２の影１３０２、レンズ保持棒２０２の影１２０１の他ペイントの影１５００、遠用中心マークの影１５０１，近用中心マークの影１５０２、アイポイントを示す隠しマークが撮影される。
【００４１】
また、ステップＳ１において、枠替えレンズホルダ３００を使用している場合には、レンズＬ、環状基板３０１の影（図示せず）、レンズ保持用アーム３０２の影１３０１（図７〜図１２参照）等が撮影される。
ステップＳ２（枠替えレンズホルダの有無判断）
このステップＳ２における処理では、対象となるレンズが加工済みや非円形であった場合に使用される枠替えレンズホルダ３００の有無を検出する。即ち、枠替えレンズホルダ３００がレンズ保持具（レンズホルダ）２００に変えて開口１４１に装着されているか否かを検出する。
【００４２】
本例では、枠替えレンズホルダの有無判断は、図６９に示した枠替えレンズホルダ３００の周囲に設けられた透光孔３０４を検出することによりなされる。
ステップＳ２１〜２３（図２，図３参照）
【００４３】
具体的には以下の処理による。まず枠替えレンズホルダ３００がレンズ保持具（レンズホルダ）２００に変えて開口１４１に装着されている場合に、図６９に示した透光孔３０４があると予測される位置を中心として図３の３５×３５ｐｉｘの処理領域Ｓａを設定し、この処理領域Ｓａを図３（ｂ）のように切り出し（Ｓ２１）、処理領域全体をサーチして最大輝度値を求め、その値を輝度値の上限、値０を同下限として、コントラストを図３（ｃ）のように上げ（Ｓ２２）、閾値を設定し、処理領域画像の２値化を行なって図３（ｄ）のようにコントラストの明瞭化を図る（Ｓ２３）。尚、透光孔３０４の像がある場合には図３（ｃ）、（ｄ）のように像３０４ａが得られる。
ステップＳ２４〜２６（図２，図３参照）
【００４４】
次に、図３（ｅ）のような予め用意した穴の２値化テンプレート画像を用いて、図３（ｄ）のように２値化した処理画像との差分を求め、差分が０となる画素の数を数える（値が同じとなった画素の数を数える）（Ｓ２４）。その総数が決められた閾値以上であれば対象とした処理領域には穴が開いており、枠替えレンズホルダが設置されていると判断する（Ｓ２５，Ｓ２６）。閾値以下の場合には枠替えレンズホルダ３００は設置されていないと判断する。
【００４５】
ステップＳ３（レンズの有無し判断）
本例では、眼鏡レンズＬがステージ上に乗せてあるかを判断する。枠替えレンズホルダ３００の有無により処理が異なるが、基本的にはステージ上に何かがあればレンズ有りと判断する。
【００４６】
ステップＳ２で枠替えレンズホルダ３００が無いと判断した場合には、眼鏡レンズＬの外形に限らず、処理領域内にノイズ以外のもの（ペイントマーク・セグメント・隠しマーク・レンズなど）がある否かで判断する。
ステップＳ３０１〜３０５（図４，図５参照）
【００４７】
この判断は、図４のフローチャートに示す手順による。まず、図５に示すように、処理領域１１０６をステージの中心から、ステージ上の３つのピンに重ならない１方向の領域を縁まで切り出す（Ｓ３０１）。次にこれらの領域１１０６内の閾値以下の画素を２値化して処理領域全体をサーチし、予め定めた閾値以下の画素数を計数する（Ｓ３０２）。計数した画素数が決められた値以上であった場合はレンズが入っているものと判断する（Ｓ３０３，Ｓ３０４）。計数した画素数が閾値未満であるときには、レンズ無しと判定する（Ｓ３０５）。
【００４８】
ステップＳ２で枠替えレンズホルダ３００が有りと判断した場合には二段階の判定を行なう。
【００４９】
この場合、枠替えレンズホルダ３００に眼鏡レンズＬが挿入、保持されている場合には、レンズ保持用アーム３０２（撮影画像中符号１３０１で示している）がある程度開いていると考えられるため、はじめはステージ中央にアームがあるか判定を行う。次に、ステージ中央から６方向にサーチを行ない、少なくとも１方向においてステージの縁までエッジが検出できなかった場合に、レンズが挿入、保持されていないと判定する。
ステップＳ３１１〜３２３
【００５０】
この枠替えレンズホルダ３００のレンズ有無の判断（判定）処理は図６に示すフローチャートの手順による。まず、ステージ中心部の領域１１０７を指定して切り出し（Ｓ３１１、図７）、切り出した処理領域全体をサーチする。予め定めた閾値以下の画素数を計数して（Ｓ３１２）、計数した画素数が閾値以下の場合は、その領域にレンズ保持用アーム３０２が存在していないとして次の判定へ進む（Ｓ３１３、図８，図９）。閾値以上の場合は、領域内にアームが存在し、レンズが無いと判断して（Ｓ３２０、Ｓ３２１）終了する。
【００５１】
次に、レンズ外形のサーチを行なう。即ち、図１０に示すようにステージ中央からのレンズ保持用アーム３０２の軸３０３付け根の両脇へ向けて画素を追って行く（Ｓ３１４）。このサーチは、図１０に示すように３本のレンズ保持用アーム３０２の軸３０３付け根の両脇に向けて位置する計６方向についてそれぞれ行なう。この処理は、現在の画素から次の画素位置を計算し（Ｓ３１５）、その地点の輝度と前回位置の輝度との差分を計算し（Ｓ３１６）、差分値が所定値より大きくかつステージの近傍でないとき（Ｓ３１７，Ｓ３１８）には、レンズがある（Ｓ３１７、図１１）と判断する。この処理を全ての方向について行ない（Ｓ３２４）、少なくとも１つの方向でステージの近傍での差分が大となる場合にレンズが無いと判断して（Ｓ３２２，Ｓ３２３、図１２）終了する。
ステップＳ４，５（レンズの種別判断及びレンズの水平合わせ）
【００５２】
次に、ステップＳ４，５のレンズの種別の判断をより具体的に、図１３に示すフローチャートに基づいて説明する。
まず、図１３に示したように全体画像を取得する（Ｓ４０１）。累進多焦点レンズの場合は図１７に示す画像が得られ、バイフォーカルレンズの場合は図１５に示すセグメントＬＳを含んだ画像が得られる。
【００５３】
次に画像をより鮮明にするために、輝度値の最大値と最小値を設定し、その間で２５６階調となるように全体の画素の輝度値を変更する。また、最大値以上の画素は輝度値を２５５に、最小値以下の画素は輝度値を０として値を与える。これにより、コントラストが強調される。
【００５４】
そして、この画像全体にＬＯＧ（Ｌａｐｌａｃｉａｎ  Ｏｆ Ｇａｕｓｓｉａｎ）フィルタをかけてレンズの外形やペイントマーク、セグメント輪郭の抽出を行なう。ＬＯＧフィルタは、注目画素とその近傍画素の輝度値に対してまず、ガウス関数によって決められた重みを掛け合わせることで平滑化を行ない、さらにエッジを抽出するためにラプラシアンをかけるものである。
【００５５】
さらに、フィルタ処理によって求められた各画素の値に対して、与えた閾値以上の値を輝度値２５５に、閾値以下の値を輝度値０に変換し２値化を行なう（Ｓ４０２）。これにより、例えば図１８に示すような２値画像が得られる。なお、この例は累進多焦点レンズに２値化処理を行なったものである。
【００５６】
ステップＳ４０２で作成した画像には必要とするレンズ外形やペイントマーク以外のノイズも数多く抽出してしまう。それを取り除くためにラベリングを行ない微小なノイズの消去を行なう（Ｓ４０３）。ここで、ラベリングは連結している画素に同じラベル番号を付け区別する公知の処理である。
【００５７】
次に付けられたラベル番号のうちその総数が少ないものはノイズであるとして取り除く。このときその閾値は印点がノイズとされないように与える必要がある。ノイズ除去処理により、例えば図１９に示す画像が得られる。
【００５８】
次に、図６７，図６８の眼鏡レンズＬの幾何中心を決定する。図２０示すように、眼鏡レンズＬの外形の影１１００から左下、右下、上の３点Ｐ１〜Ｐ３を選び、この３点Ｐ１〜Ｐ３を通る円の中心を求め、その位置をレンズの仮中心Ｏとする。これはラインの検出など探索領域を決定するためのものであり、厳密である必要は無い。外形の３点の求め方は、図２０に矢印Ａ１〜Ａ３で示したように開口部１４１の影１４１ａの最外から、左下、右下は横方向、上は縦（下）方向にサーチを行ない、１番目のエッジをレンズの縁であるとする。
【００５９】
次に上記処理で求めたレンズの仮中心（仮幾何学中心）Ｏを中心とした領域（３００×６０ｐｉｘｅｌ：図２１に示した領域)を水平ペイントラインの抽出処理領域ＰＡとして切り出す。図２２に示した領域で水平ペイントマークの抽出(傾き計算)で抽出した画像内で、最も輝度値２５５の画素数が多い直線を求め（ハフ変換）、その直線を水平ペイント１５００（４本の水平ペイント１５００ａ〜１５００ｄからなる）とする。ただし、抽出した直線上に輝度値２５５の画素数が少数であった場合は、印点である可能性があるため水平ペイントではないとする。さらに、ここで求めた水平ペイント１５００ａ〜１５００ｄの傾きを求める。この水平ペイント１５００ａ〜１５００ｄを確認したレンズを累進多焦点レンズと判定する（Ｓ４０６）
【００６０】
次に、上記処理によって累進多焦点レンズと判定したレンズについて、隠しマークの検出を行なう。この処理は、隠しマークの位置検出及び隠しマーク位置のペイント有無の判断を行なう（ステップＳ５〜Ｓ１０）。また、この処理は、隠しマークを検出して吸着ポイントの決定するものである。
【００６１】
まず、拡大画像取得前に概略レンズの傾き修正を行なう（Ｓ５）。レンズ種別判断（Ｓ４）で求めたレンズの仮幾何中心とレンズの傾きを用いて、レンズの水平ペイントマークが水平になり、仮幾何中心が画像の中心に来るようにステージの移動、回転を行なうものである。
【００６２】
次に、拡大画像を取得する。このとき、隠しマークが目視できるように拡大撮影用のＣＣＤカメラ１０６で２倍の拡大画像を取得する。得られた画像を図２３に示す。この画像は、上述した画像と同様のグレイスケールで取得される。また、画像には、レンズ保持棒２０２の影１２０１、４本の水平ペイント１５００ａ〜１５００ｄ、遠用中心マークの影１５０１，近用中心マークの影１５０２、水平ペイント１５００ａ，１５００ｂ間及び水平ペイント１５００ｃ，１５００ｄ間にそれぞれ位置する２つの水平基準隠しマークの影１５０３，１５０３、２つの水平ペイント１５００ｂ，１５００ｃ間に位置するセンターの影１５０４、アイポイントを示す隠しマークの影１５０５（フィッティングマーク）が現れている。
【００６３】
また、次に隠しマーク抽出領域の設定を行なう。一般的な眼鏡レンズＬの規格から、水平基準隠しマークは、画像の中心から水平方向に左右１７ｍｍ（約１７０ｐｉｘｅｌ）の地点付近にあると推定できる。そこで図２４に示すように、その点を中心とした縦５０〜７０ｐｉｘｅｌ×横９０〜１１０ｐｉｘｅｌの長方形の枠１６００を隠しマークのサーチを行なう領域として抽出する。
【００６４】
まず画像データの２値化処理を行なう。指定した領域にＣａｎｎｙオペレータをかけ、エッジの抽出を行ない、それぞれの画素の値が定めた閾値以上である場合は値２５５に、閾値以下の場合は値０とする。これにより輝度値の変化が急である個所において値が２５５になる。次に作成した２値化画像から、領域の外周に掛かっている水平ペイントマークなどのエッジを取り除き図２５（ａ），（ｂ））、ラベリングを行ない、連結画素数の小さなノイズを取り除いた後（図２５（ｃ））、水平基準隠しマークの影１５０３の検出を行なう。これは、２７×２７ｐｉｘｅｌ程度の枠を作り領域内のサーチを行ない、処理領域内で最もエッジ量が多い範囲を探すことにより行なう。
【００６５】
次に検出したマークが水平基準隠しマーク（水平ペイント１５００ａ〜１５００ｄ又は影１５０３等）であるか、他のペイントマークであるかの判定を行なう。即ち検出した隠しマークの位置にペイントマークが含まれているかを確認するのである。図２６で示すように、枠の範囲を対象に低い閾値（輝度値１００程度）を設定して２値化を行なう。その結果、領域内に輝度値０の画素があった場合はペイントが含まれているとしてペイントマークでの重心計算を行なう。図２６（ａ）はこの処理を行なって水平基準隠しマーク（水平ペイント１５００ａ〜１５００ｄ）であることが分かった例を示し、図２６（ｂ）はこの処理を行なって水平基準隠しマークとは異なる他のペイントＶＧであったこと判明した例である。
【００６６】
次に、アイポイントの抽出を行なう。前記処理で求められた範囲内における輝度値２５５の画素の座標平均を求め、それを隠しマークの重心とする。図２７（ａ）は隠しマークの重心Ｇを得た例である。この処理と同様に求めた２値化した画像から輝度２５５の画素の座標平均を求め、図２７（ｂ）に示すように、その点をペイントマークＶＧの重心Ｇとする。
【００６７】
さらに、レンズの傾きを求める。求めた２つの隠しマークの座標からレンズの傾き及び中心位置を求めるのである。図２８に示すような十字マークのテンプレートにより、図２９に示すように、中心位置から水平ペイントマークの垂直方向上側０ｍｍ、２ｍｍ、４ｍｍの地点でマッチングをかけ、相関を取る。最も相関値が高いところがアイポイントを示す十字マークのある位置であるとする。また、相関値が全て一定値以下であった場合はアイポイントを示す十字マークが無いものとする。その場合の処理は別途定める。
【００６８】
次にバイフォーカルレンズのセグメントを検出し、吸着治具１２１の取付位置を決定する。まず、セグメントのエッジ画像の取得を行なう。ここで前記ラベリング時に、ラベル毎の重心と連結数が算出されている。
【００６９】
図１５に示した画像を対象とした場合、眼鏡レンズＬには、ラベル１：図６７，図６８のレンズ保持棒３００の影１２０１に対応するレンズＬのラベル２，３，５：セグメントのエッジ１４０１の領域が割り振られている。
【００７０】
尚、図１５のラベル１は眼鏡レンズＬ全体を示したものであるが、図１５のラベル１が眼鏡レンズＬの中心にある重心とした場合、図１５では画面の略中央に円１４１０で囲まれた点で表示される。また、レンズＬのラベル２、３，５で示す位置の重心は図１６の円１４１１に囲まれた点で表される。更に、セグメントのエッジ１４０１の領域の重心は図１６の円１４１２に囲まれた点で表される。
【００７１】
これら重心座標、連結数、及びサイズは表１に示してある。
【００７２】
【表１】
0004729146.tif 000002
【００７３】
次に、ラベルの重心が入力画像のある範囲内にあるかどうかを確認する（Ｓ４１３）。この処理は、図１６に示すように、枠１４１３内に重心があるものをセグメントの候補とする。セグメントの重心は必ず画像全体の下半分の中央付近にあると予想できるから行なる。さらに、ラベルの連結数がある範囲内にあるかどうかを確認する（Ｓ４１４）。予め、セグメントの連結数はだいたい４５０〜２０００画素程度であることを確認しているからこの範囲にあるものをセグメントとして抽出する。さらに、それぞれのラベルで右の様に幅と高さを測る（Ｓ４１５）。これは、図３３に示すようにセグメントのエッジ（輪郭
線）１４０１に接する水平線Ｌａ１，Ｌａ２及び垂直線Ｌｂ１，Ｌｂ２を引きその間隔をそれぞれ高さ及び幅として検出する。この幅及び高さは、レンズが傾いていたとしても１００×１００〜３００×３００画素程度の範囲に納まることを確認している。
【００７４】
全ての判定（Ｓ４１３〜Ｓ４１５）を満足したら、そのラベルのついているエッジをセグメントのエッジとみなし、バイフォーカルレンズであると判定する（Ｓ４１６）。全てのラベルをチェックして、全ての判定を満足するものが無ければ、バイフォーカルレンズではないと判断し、別のレンズの判定へ移る。
【００７５】
他のレンズの判定として、印点付きレンズの判定を行なう（Ｓ４０７）この処理は、累進多焦点レンズでもバイフォーカルレンズでもない場合にこの処理を行なう。
【００７６】
印点付きレンズの処理は、まず、ラベル付けされた２値化画像の取得し、ラベルリング時（ステップＳ４０３）の処理において、各重心が求まっているので、２つのラベルの重心を取り出し、その中点に重心を持つラベルがあれば、それらを印点の３点とみなす。そして、全てのラベルをチェックして、印点が無ければ、無印レンズと判断する。
【００７７】
次に、バイフォーカルレンズのセグメント検出を行なう（ステップＳ６）。この処理は、バイフォーカルレンズのセグメントを検出して吸着点座標・傾きの算出を行なうものである。この処理は、図３０に示したフローチャートに沿って行なう。
【００７８】
以下詳細に説明する。ここでは、図３２に示すように、セグメントの１４０１における２つのコーナー点１４０２，１４０４を結ぶ線分をＬｃ１、線分Ｌｃ１の垂直二等分線を１４０６とすると、吸着位置１４０７は垂直二等分線１４０６とセグメントのエッジ１４０１の上側曲線の交点とする。また、レンズの傾きθは図３１に示すように、２つのコーナー点１４０２、１４０４を結ぶ線分の傾きθとした。次に、セグメントのエッジから重心を求め、重心からエッジまでの距離を取って、距離関数を作成する。そして、距離関数の極大値をコーナーとする。
【００７９】
この手順は図３０に示すように、まず、エッジ１４０１を検出する（Ｓ６０１、Ｓ６３１）。この処理はレンズの種別判定（Ｓ４）で既に説明した。この検出されたエッジ１４０１を元にセグメント有無の判断を行なう（Ｓ６０２）。セグメントはレンズ中央よりやや下に位置し、サイズもある程度の範囲内にあり、また、エッジ画像には既にラベルが付いていることから、これらを利用して、ラベル付けされたエッジ毎に、重心、連結数、サイズを求め、予め決めた閾値と比較し、これら３つ条件を満たしたエッジをセグメントのエッジ１４０１とみなす。それぞれの閾値は、実験により以下のように設定した。
重心：レンズ画像の下半分の中央付近の１００×１００〜３００×３００画素の範囲
連結数：４５０〜２０００画素（各ラベルの画素数）
サイズ：高さ、幅ともに５０〜２５０画素
なお、サイズは図３３に示すように、セグメントのエッジ１４０１の高さ及び幅の画素数を計測する。
【００８０】
次にエッジの細線化を行なう（Ｓ６０３）。セグメントエッジの重心を求める前にエッジに細線化を行なう。重心の求め方はステップＳ６０４で説明するが、エッジの出方に偏り（エッジの幅のムラ）がある場合、重心の位置がずれる可能性があるため、検出されたエッジを1画素幅に細線化する。この例では８近傍で処理を行なった。
【００８１】
次に、セグメントの重心を検出する（Ｓ６０４）。細線化されたセグメントのエッジから、以下の式を用いてセグメントの重心Ｇを求めた。
【００８２】
【数１】
0004729146.tif 000003
【００８３】
ただし、ｘｉ,ｙｉはエッジ上のｉ番目（ｉ=０〜ｎ−１）の座標を示す。
【００８４】
さらに、距離関数を作成する（Ｓ６０５）。ステップＳ６０４で求めた重心Ｇから、セグメントのエッジ上の各画素までの距離Ｌｎを求め、セグメントの所定の一点例えば１つのコーナー点のから１周分（３６０
）を並べ、距離関数とする。
【００８５】
次に距離関数からのコーナー部を検出する（Ｓ６０６）ステップＳ６０５で求めた距離関数から、２つの極大値を検出し、そこから、それらをコーナー部１４０２，１４０４として検出した。
【００８６】
コーナー検出を行なったバイフォーカルレンズのサンプルに係る画像を図３６に示す。図中のＡ〜Ｄの記号は、距離関数上の記号との対応を示している。この時、計算に用いた重心を点Ｇで示す。また、求めた結果を図３７の丸印に示す。ここで、精度向上のため、距離関数にカーブフィッティングを行なう。図３６の点Ｃで距離関数を左右２つの領域に分け、それぞれの距離関数に二次関数をフィッティングし、その交点に対応するエッジをコーナーとして抽出した。
【００８７】
また、距離関数の最大値と最小値の差がある一定範囲内なら、円形と判断する。既に述べたが、セグメントにはこれまで実験で扱ってきた半月形以外に、円形の場合もあるからである(図３９参照)。その時の距離関数を図４０に示す。この場合、重心からの距離関数は半月形のセグメントのとき異なり、ほぼ一定となっている。このように距離関数の最大値と最小値の差がほとんど無い場合には円形セグメントであると判断し、コーナー検出は行なわない。
【００８８】
次に、図４１に示すように眼鏡レンズＬのセグメントＬＳのエッジと、レンズ保持棒２０２とが重なった場合のコーナーの検出について説明する。本例を使用するにあたり、様々なメーカーのレンズに対応させるため、レンズ保持棒２０２とセグメントＬＳの重なりは避けられない。これらが重なったまま撮影すると、図４２に示す画像が得られる。この画像からしてエッジを検出すると、レンズ保持棒２０２の影１２０１を含んだセグメントのエッジ１４０１を検出してしまい、重心からの距離関数の作成に影響を及ぼすこととなる。そこで、このような場合でも、コーナーの検出（消えていた場合は推定）が行なるような処理を行なう。概略の手順を図４３に示すフローチャートに示した。
【００８９】
本例では、セグメントＬＳのエッジを検出し（Ｓ６２１）、エッジに端点がない場合には上述した図３０に示した通常の処理を行い（Ｓ６３３）、エッジが隠されている場合は、以下の処理を行う。まず、エッジを延長する補正を行いエッジを閉曲線にする（Ｓ６２３）。次に、この閉曲線となったエッジの仮重心を求め、距離関数を作成する（Ｓ６２４，Ｓ６２５）。そして、エッジの形状が円である場合には、セグメントが円形である場合の処理（Ｓ６２６，Ｓ６３４）を行い、エッジが円形でない場合は、以下の処理を行う。
【００９０】
エッジが円形で無い場合には、距離関数から残っているコーナーの数を計算する。残ったコーナーが１つの場合には、小玉のエッジに曲線及び楕円をフィッティングして近似エッジを求め（Ｓ６２８）、両線の交点をコーナーとする（Ｓ６２９）。
【００９１】
残ったコーナーが２つある場合には、その位置を求め（Ｓ６３０）コーナー位置を算出する（Ｓ６３２）。
【００９２】
次に、残ったコーナーの数え方について説明する。
【００９３】
レンズ保持棒２０２がセグメントエッジのどの部分と重なってエッジの途切れを生じているかを
（イ）コーナー以外の部分が欠けている場合（図５７：２つのコーナーが残っている）
（ロ）左右どちらかのコーナーが欠けている場合（図５９：残ったコーナーは１つ）
２つの場合に分けて考えることとする。それぞれの場合の距離関数を図５８、図６０に示した。距離関数の極大値である変曲点の数を求め、その数をコーナーの数とみなすこととする。ただし、図５８、図６２に示すように、距離関数自体は凸凹が激しいため、ここでは距離関数の加重平均を取り、ある区間毎の傾きを用いて求めた。
【００９４】
上記の方法で、図６２、図６４に示した画像の、距離関数と変曲点を求めた。その結果を図６１、図６３に示す。なお各図中に、極大値である変曲点を示す部分を丸印で示した。結果、図６３の距離関数では２個、図６７の距離関数では1個の極大値が存在することを確認できる。また、ここでは示さないが、この他の画像においても、この方法により極大値の数を求めることができることを確認した。
【００９５】
次に、残ったコーナーの検出と隠れた場合の位置の推定についての説明をする。レンズ保持棒２０２の位置は画像のどの位置に来るのか予め分かっているので、レンズ保持棒２０２の位置にはマスクを掛けてエッジの検出を行なった。また、３本のレンズ保持棒２０２とセグメントのサイズから、多くても１本のレンズ保持棒２０２にしか掛からないことを確認したので、ここでは
（イ）コーナー以外の部分でレンズ保持棒２０２と重なった場合
（ロ）コーナーでレンズ保持棒２０２と重なった場合
の２つの場合に分けて、距離関数を求めることとした。
【００９６】
（イ）コーナー以外の部分でレンズ保持棒２０２と重なった場合
この場合図４５に示す画像について処理を行なった。求めた重心Ｇから作成した距離関数を図４６に示す。この結果より、レンズ保持棒２０２によりエッジが途切れていても、コーナー付近で極大値を取ることを確認できた。しかし、レンズ保持棒２０２と重なった部分のエッジが無くなっているので、エッジから得られる重心Ｇは、図４５の点Ｃの方へ寄っている。そのため、レンズ保持棒２０２と重なりの無い場合の距離関数（図３７参照）に比べると、コーナー付近を示す２つの極大値（ＢとＣ）の大きさにずれが生じていることを確認できる。この結果、エッジが途切れた場合でも距離関数の二次関数へのフィッティングにより、コーナー付近の抽出を行なうことはできる。
【００９７】
しかし、ここでの距離関数では重心位置がずれているためにフィッティングした二次関数の交点が本来のコーナー位置とはずれてしまう場合がある。そこで、図４４の点Ａと点Ｄからそれぞれ直線を伸ばし、セグメントの疑似エッジを作り、仮の重心Ｇ’を求め、そこから距離関数を計算する。端点Ａ、Ｄから伸ばす直線は、端点から5点分の座標を元に最小二乗法によりその式を求める。その結果を図４６に、得られた距離関数を図４７に示す。図中の線分ＡＥと線分ＥＤが追加された直線であり、符号Ｇ’は疑似エッジから求めた仮重心である。
【００９８】
ここで作成した疑似エッジからのコーナー検出の結果を図４８の○印として示し、距離関数に二次関数をフィッティングした結果を図４９に示す。
【００９９】
（ロ）コーナーでレンズ保持棒２０２と重なった場合
概略の処理手順を、図５５のフローチャートに示した。即ち本処理では、画像エッジ中から２つの端点を検出し（Ｓ６４１）、距離関数を作成する（Ｓ６４２）。次に残りのコーナを検出する（Ｓ６４３）がこのとき距離関数の極大値を残ったコーナを判断する。ついでエッジを上下２つに分離し（Ｓ６４４）、さらに各エッジの近似曲線・楕円の算出を行い、両者の交点をコーナーとして算出する（Ｓ６４６）。
【０１００】
また、これらの処理は、図５１に示した画像を用いて行なった。ただし、この画像は後の精度検証で検出位置の比較を行なうため、レンズ保持棒２０２と重なっていないセグメントにレンズ保持棒２０２の影を書き加えたものである。エッジの検出結果を図５１に示し、その距離関数を図５３に示す。まず、レンズ保持棒２０２がセグメントのエッジと重なった場合に重心からの距離関数を作成すると、どのような結果が得られるのかを示す。
【０１０１】
得られた距離関数（図５３）から、残っているコーナー（点Ｂ）については極大値を取ることで、その位置検出ができることが分かる。しかし、もう１つのコーナーはレンズ保持棒２０２により隠れているため、エッジを得ることができず、コーナーの検出はできない。そこで、ここでは図５４に示すように、レンズ保持棒２０２により隠されてしまったコーナー位置の推定を行なう。即ち、セグメントの形に注目して、コーナーを境にエッジを上側と下側のカーブに分離し、それぞれ近似曲線や近似楕円を当てはめ、その交点をコーナーとするのである。
【０１０２】
まず、エッジを分離する（Ｓ６４１）。図５３に示した距離関数に基づいて、残っているコーナーの大まかな位置（点Ｂ）を境にエッジのデータを分離する。エッジの分離の後、それぞれのエッジの近似曲線または楕円の式を求める。これらの近似の結果を図５６に示す。
【０１０３】
ここで、この方法により得られた画像はレンズ保持棒２０２を後から加えた画像なので、元の画像上ではどの位置に結果が出ているのかを確かめるため、元の画像に結果を数値化した。
【０１０４】
得られたコーナー位置を図６３に示す。この結果より、コーナーがレンズ保持棒２０２と重なって消えていた場合でも、近似曲線や楕円を求め、その交点からコーナー位置の推定を行なることを確認した。
【０１０５】
以上、レンズ保持棒２０２でセグメントＬＳのエッジに途切れが生じた場合の対応について述べた。まず「距離関数から残ったコーナーの数を数える」アルゴリズムを用いて、レンズ保持棒２０２がセグメントのどの部分と重なってエッジに途切れを生じているのかが確認できる。残っているコーナーの数に応じ、２個なら距離関数の極大値からコーナーの位置を検出し、１個ならセグメントのエッジを曲線や楕円に近似し、両線の交点をコーナーとして検出した。これで全ての種類の眼鏡レンズＬの吸着点が判明したことになる。次に、Ｘ−Ｙステージ１４１を移動して吸着治具の吸着治具搬送部１２０が吸着治具１２１を設置する個所に眼鏡レンズを移動する（ステップＳ１２）。さらに、レンズの左右判断（ステップＳ１３）を行なう。
【０１０６】
（イ）累進多焦点レンズの場合
レンズの吸着ポイントが決定した後、スタート時にユーザーが行なったレンズの左右の選択が正しく行われているか、画像処理によってその成否を確認する。レンズの左右判定は、累進多焦点レンズの近用部ペイントマークの重心が隠しマーク中点の左右どちら側にあるかによって決定する。
【０１０７】
この処理は、まず、図６５に示すように隠しマーク検出時に導出した２つの隠しマークの中点を基に処理を行なう領域を切り出す。次に、切り出した処理領域内をサーチし、予め設定した閾値以上の画素をペイントであるとして、その画素の座標値を求める。さらに、求めた座標の平均値、つまり重心を求め、重心が隠しマークの中点のどちらにあるかによってレンズの左右を判断する。
【０１０８】
（ロ）バイフォーカルレンズの場合
この処理は、図６６に示すように撮影したセグメントの形状より水平線及び垂直線を取り、レンズ外形の幾何中心と吸着点を比較し、どちらの方向にあるかで、左右判断を行なう。レンズ外形の幾何学中心Ｏと、吸着点１４０７との位置関係で定めた。幾何中心が吸着点より左にある場合は左レンズ、右にある場合は右レンズと判断する。
【０１０９】
本例では、以上の処理の終了後、吸着治具搬送部１２０で吸着治具１２１を眼鏡レンズＬの吸着点１４０７に載せ、眼鏡レンズＬを吸着治具搬送部１２０で装置外に搬出して一連の処理は終了する。
【０１１０】
すなわち、本例では、フィッティングマークとなるアイポイントを示す隠しマークの影（図２４，図２５に示す影１５０５、図３２や図６６の吸着点１４０７）を探して、このフィッティングマークとなるアイポイントを示す隠しマークの影（図２４，図２５に示す影１５０５、図３２や図６６の吸着点１４０７）に図６７の吸着治具１２１の治具画像Ｒｐの中心が一致する位置の吸着中心データを演算制御回路１７０により求める。そして、演算制御回路１７０は、この演算により求めた吸着中心データを基に治具画像Ｒｐをレンズ形状Ｒｓに重ねて表示させる。
【０１１１】
従って、演算制御回路１７０は、この求めた吸着中心データをもとに図６７に示したＸ−Ｙステージ部１５０及び吸着治具搬送部１２０を駆動制御して、吸着治具１２１の中心を眼鏡レンズＬの吸着中心データに対応する位置に位置させて、吸着治具１２１を眼鏡レンズＬに装着する（ステップＳ１４）。
【図面の簡単な説明】
【０１１２】
【図１】本発明の実施の形態に係る眼鏡レンズの吸着治具取付装置の処理全体を示すフローチャートである。
【図２】本発明の実施の形態に係る眼鏡レンズの吸着治具取付装置の枠替えレンズホルダ検出の処理を示すフローチャートである。
【図３】本発明の実施の形態に係る眼鏡レンズの吸着治具取付装置の枠替えレンズホルダ検出の処理を示す図である。
【図４】本発明の実施の形態に係る眼鏡レンズの吸着治具取付装置のレンズ有無判定の処理を示すフローチャートである。
【図５】本発明の実施の形態に係る眼鏡レンズの吸着治具取付装置のレンズ有無判定の処理時の画像である。
【図６】本発明の実施の形態に係る眼鏡レンズの吸着治具取付装置のレンズ有無判定の処理を示すフローチャートである。
【図７】本発明の実施の形態に係る眼鏡レンズの吸着治具取付装置の枠替えレンズホルダ検出時の画像である。
【図８】本発明の実施の形態に係る眼鏡レンズの吸着治具取付装置の枠替えレンズホルダ検出時の画像である。
【図９】本発明の実施の形態に係る眼鏡レンズの吸着治具取付装置の枠替えレンズホルダ検出時の画像である。
【図１０】本発明の実施の形態に係る眼鏡レンズの吸着治具取付装置の枠替えレンズホルダ装着中におけるレンズ検出時の画像である。
【図１１】本発明の実施の形態に係る眼鏡レンズの吸着治具取付装置の枠替えレンズホルダ装着中におけるレンズ検出時の画像である。
【図１２】本発明の実施の形態に係る眼鏡レンズの吸着治具取付装置の枠替えレンズホルダ装着中におけるレンズ検出時の画像である。
【図１３】本発明の実施の形態に係る眼鏡レンズの吸着治具取付装置のレンズ判別の手順を示すフローチャートである。
【図１４】本発明の実施の形態に係る眼鏡レンズの吸着治具取付装置のバイフォーカルレンズ判別の手順を示すフローチャートである。
【図１５】本発明の実施の形態に係る眼鏡レンズの吸着治具取付装置のバイフォーカルレンズ判定時の画像である。
【図１６】本発明の実施の形態に係る眼鏡レンズの吸着治具取付装置のバイフォーカルレンズ判定時の重心を示す図である
【図１７】本発明の実施の形態に係る眼鏡レンズの吸着治具取付装置の累進多焦点レンズ判定時の画像である。
【図１８】本発明の実施の形態に係る眼鏡レンズの吸着治具取付装置の累進多焦点レンズ判定時におけるエッジ検出画像である。
【図１９】本発明の実施の形態に係る眼鏡レンズの吸着治具取付装置の累進多焦点レンズ判定時におけるノイズ除去後の画像である。
【図２０】本発明の実施の形態に係る眼鏡レンズの吸着治具取付装置の累進多焦点レンズ判定時における半径判定の画像である。
【図２１】本発明の実施の形態に係る眼鏡レンズの吸着治具取付装置の累進多焦点レンズ判定時における水平線検出のための画像である。
【図２２】本発明の実施の形態に係る眼鏡レンズの吸着治具取付装置の累進多焦点レンズ判定時における水平線検出のための拡大画像である。
【図２３】本発明の実施の形態に係る眼鏡レンズの吸着治具取付装置の累進多焦点レンズ判定時における隠しマーク検出のための画像である。
【図２４】本発明の実施の形態に係る眼鏡レンズの吸着治具取付装置の累進多焦点レンズ判定時における隠しマーク検出のための画像である。
【図２５】本発明の実施の形態に係る眼鏡レンズの吸着治具取付装置の累進多焦点レンズ判定時における隠しマーク検出のための拡大画像である。
【図２６】本発明の実施の形態に係る眼鏡レンズの吸着治具取付装置の累進多焦点レンズ判定時における隠しマーク、及びペイント検出のための拡大画像である。
【図２７】本発明の実施の形態に係る眼鏡レンズの吸着治具取付装置の累進多焦点レンズ判定時における隠しマーク、及びペイント重心検出のための拡大画像である。
【図２８】本発明の実施の形態に係る眼鏡レンズの吸着治具取付装置の累進多焦点レンズ判定時における隠しマーク検出のためのテンプレートである。
【図２９】本発明の実施の形態に係る眼鏡レンズの吸着治具取付装置の累進多焦点レンズ判定時における隠しレンズ中心検出のための拡大画像である。
【図３０】本発明の実施の形態に係る眼鏡レンズの吸着治具取付装置のバイフォーカルレンズのセグメント検出の処理を示すフローチャートである。
【図３１】本発明の実施の形態に係る眼鏡レンズの吸着治具取付装置のバイフォーカルレンズのセグメント検出のための画像である。
【図３２】本発明の実施の形態に係る眼鏡レンズの吸着治具取付装置のバイフォーカルレンズのセグメント検出のための画像である。
【図３３】本発明の実施の形態に係る眼鏡レンズの吸着治具取付装置のバイフォーカルレンズのセグメント検出のための画像である。
【図３４】本発明の実施の形態に係る眼鏡レンズの吸着治具取付装置のバイフォーカルレンズのセグメント検出のための距離関数を説明する画像である。
【図３５】本発明の実施の形態に係る眼鏡レンズの吸着治具取付装置のバイフォーカルレンズのセグメント検出の処理を示すフローチャートである。
【図３６】本発明の実施の形態に係る眼鏡レンズの吸着治具取付装置のバイフォーカルレンズのセグメントコーナ検出のための画像である。
【図３７】本発明の実施の形態に係る眼鏡レンズの吸着治具取付装置のバイフォーカルレンズのセグメントコーナ検出のための距離関数のグラフである。
【図３８】本発明の実施の形態に係る眼鏡レンズの吸着治具取付装置のバイフォーカルレンズのセグメントコーナ検出のための距離関数のグラフである
【図３９】本発明の実施の形態に係る眼鏡レンズの吸着治具取付装置のバイフォーカルレンズのセグメント検出のための画像である。
【図４０】本発明の実施の形態に係る眼鏡レンズの吸着治具取付装置のバイフォーカルレンズのセグメント検出のための距離関数のグラフである
【図４１】本発明の実施の形態に係る眼鏡レンズの吸着治具取付装置にバイフォーカルレンズを載置した状態を示す斜視図である。
【図４２】本発明の実施の形態に係る眼鏡レンズの吸着治具取付装置のバイフォーカルレンズのセグメントコーナ検出のための画像である。
【図４３】本発明の実施の形態に係る眼鏡レンズの吸着治具取付装置のバイフォーカルレンズのセグメントコーナ検出の処理全体を示すフローチャートである
【図４４】本発明の実施の形態に係る眼鏡レンズの吸着治具取付装置のバイフォーカルレンズのセグメントコーナ検出のための画像である。
【図４５】本発明の実施の形態に係る眼鏡レンズの吸着治具取付装置のバイフォーカルレンズのセグメントコーナ検出のための距離関数のグラフである
【図４６】本発明の実施の形態に係る眼鏡レンズの吸着治具取付装置のバイフォーカルレンズのセグメントコーナ検出のための画像である。
【図４７】本発明の実施の形態に係る眼鏡レンズの吸着治具取付装置のバイフォーカルレンズのセグメントコーナ検出のための距離関数のグラフである
【図４８】本発明の実施の形態に係る眼鏡レンズの吸着治具取付装置のバイフォーカルレンズのセグメントコーナ検出のための画像である。
【図４９】本発明の実施の形態に係る眼鏡レンズの吸着治具取付装置のバイフォーカルレンズのセグメントコーナ検出のための距離関数のグラフである
【図５０】本発明の実施の形態に係る眼鏡レンズの吸着治具取付装置のバイフォーカルレンズのセグメントコーナ検出のための画像である。
【図５１】本発明の実施の形態に係る眼鏡レンズの吸着治具取付装置のバイフォーカルレンズのセグメントコーナ検出のための画像である。
【図５２】本発明の実施の形態に係る眼鏡レンズの吸着治具取付装置のバイフォーカルレンズでセグメントコーナ検出した結果を示す画像である。
【図５３】本発明の実施の形態に係る眼鏡レンズの吸着治具取付装置のバイフォーカルレンズのセグメントコーナ検出のための距離関数のグラフである
【図５４】本発明の実施の形態に係る眼鏡レンズの吸着治具取付装置のバイフォーカルレンズのセグメントコーナ検出のカーブフィティングを示す図である。
【図５５】本発明の実施の形態に係る眼鏡レンズの吸着治具取付装置のバイフォーカルレンズのセグメントコーナ検出の処理を示すフローチャートである。
【図５６】本発明の実施の形態に係る眼鏡レンズの吸着治具取付装置のバイフォーカルレンズのセグメントコーナ検出のカーブフィティングを示す図である。
【図５７】本発明の実施の形態に係る眼鏡レンズの吸着治具取付装置のバイフォーカルレンズのセグメントコーナ検出のための画像である。
【図５８】本発明の実施の形態に係る眼鏡レンズの吸着治具取付装置のバイフォーカルレンズのセグメントコーナ検出のための距離関数のグラフである
【図５９】本発明の実施の形態に係る眼鏡レンズの吸着治具取付装置のバイフォーカルレンズのセグメントコーナ検出のための画像である。
【図６０】本発明の実施の形態に係る眼鏡レンズの吸着治具取付装置のバイフォーカルレンズのセグメントコーナ検出のための距離関数のグラフである
【図６１】本発明の実施の形態に係る眼鏡レンズの吸着治具取付装置のバイフォーカルレンズでセグメントコーナを検出した結果を示す距離関数のグラフである
【図６２】本発明の実施の形態に係る眼鏡レンズの吸着治具取付装置のバイフォーカルレンズのセグメントコーナ検出のための画像である。
【図６３】本発明の実施の形態に係る眼鏡レンズの吸着治具取付装置のバイフォーカルレンズでセグメントコーナを検出した結果を示す画像である。
【図６４】本発明の実施の形態に係る眼鏡レンズの吸着治具取付装置のバイフォーカルレンズのセグメントコーナ検出のための画像である。
【図６５】本発明の実施の形態に係る眼鏡レンズの吸着治具取付装置の累進多焦点レンズの左右を判断するための画像である。
【図６６】本発明の実施の形態に係る眼鏡レンズの吸着治具取付装置のバイフォーカルレンズの左右を判断のための画像である。
【図６７】本発明の実施の形態に係る眼鏡レンズの吸着治具取付装置の概略構成を示すブロック図である。
【図６８】本発明の実施の形態に係る眼鏡レンズの吸着治具取付装置のレンズ載置部を示す斜視図である。
【図６９】本発明の実施の形態に係る眼鏡レンズの吸着治具取付装置の枠替えレンズホルダを示す斜視図である。
【符号の説明】
【０１１３】
１０５，１０６…ＣＣＤカメラ（撮像手段）
１２０…吸着治具搬送部（装着手段の一部）
１２１…吸着治具
１４０…レンズ載置部（載置台）
１４１…開口部
１５０…Ｘ−Ｙステージ部（装着手段の一部，装着位置決定手段の一部）
１７０…演算制御回路（マーク検出手段，装着位置決定手段の一部）
２００…レンズ保持具（載置台）
１５０３…隠しマークを示す影
１５０５…アイポイントを示す影（フィッティングマーク）
Ｌ…眼鏡レンズ
Ｆ１…ファンクションキー（切替手段）
【図１】
0004729146.tif 000004
【図２】
0004729146.tif 000005
【図３】
0004729146.tif 000006
【図４】
0004729146.tif 000007
【図５】
0004729146.tif 000008
【図６】
0004729146.tif 000009
【図７】
0004729146.tif 000010
【図８】
0004729146.tif 000011
【図９】
0004729146.tif 000012
【図１０】
0004729146.tif 000013
【図１１】
0004729146.tif 000014
【図１２】
0004729146.tif 000015
【図１３】
0004729146.tif 000016
【図１４】
0004729146.tif 000017
【図１５】
0004729146.tif 000018
【図１６】
0004729146.tif 000019
【図１７】
0004729146.tif 000020
【図１８】
0004729146.tif 000021
【図１９】
0004729146.tif 000022
【図２０】
0004729146.tif 000023
【図２１】
0004729146.tif 000024
【図２２】
0004729146.tif 000025
【図２３】
0004729146.tif 000026
【図２４】
0004729146.tif 000027
【図２５】
0004729146.tif 000028
【図２６】
0004729146.tif 000029
【図２７】
0004729146.tif 000030
【図２８】
0004729146.tif 000031
【図２９】
0004729146.tif 000032
【図３０】
0004729146.tif 000033
【図３１】
0004729146.tif 000034
【図３２】
0004729146.tif 000035
【図３３】
0004729146.tif 000036
【図３４】
0004729146.tif 000037
【図３５】
0004729146.tif 000038
【図３６】
0004729146.tif 000039
【図３７】
0004729146.tif 000040
【図３８】
0004729146.tif 000041
【図３９】
0004729146.tif 000042
【図４０】
0004729146.tif 000043
【図４１】
0004729146.tif 000044
【図４２】
0004729146.tif 000045
【図４３】
0004729146.tif 000046
【図４４】
0004729146.tif 000047
【図４５】
0004729146.tif 000048
【図４６】
0004729146.tif 000049
【図４７】
0004729146.tif 000050
【図４８】
0004729146.tif 000051
【図４９】
0004729146.tif 000052
【図５０】
0004729146.tif 000053
【図５１】
0004729146.tif 000054
【図５２】
0004729146.tif 000055
【図５３】
0004729146.tif 000056
【図５４】
0004729146.tif 000057
【図５５】
0004729146.tif 000058
【図５６】
0004729146.tif 000059
【図５７】
0004729146.tif 000060
【図５８】
0004729146.tif 000061
【図５９】
0004729146.tif 000062
【図６０】
0004729146.tif 000063
【図６１】
0004729146.tif 000064
【図６２】
0004729146.tif 000065
【図６３】
0004729146.tif 000066
【図６４】
0004729146.tif 000067
【図６５】
0004729146.tif 000068
【図６６】
0004729146.tif 000069
【図６７】
0004729146.tif 000070
【図６８】
0004729146.tif 000071
【図６９】
0004729146.tif 000072